(57)【要約】【課題】工具マガジン装置内で工具撮像手段の撮像範囲を超える外径または長さの工具を計測すること。【解決手段】複数の工具を収納する工具マガジン装置は、工具Ｔを撮像するカメラ３４と照明装置３６と、カメラ３４により得られた、計測対象の工具Ｔの画像に基づいて該工具Ｔの外形寸法を計測する計測手段と、計測結果に応じて工具Ｔの撮像位置を調整する工具撮像位置調整手段と、を具備する。【選択図】図４
2015104782.tif 000002
【特許請求の範囲】
【請求項１】
複数の工具収納部を有したラックを備え、内部に複数の工具を収納する工具マガジン装置において、
工具を撮像する工具撮像手段と、
前記工具撮像手段により得られた、計測対象の工具の画像に基づいて該工具の外形寸法を計測する計測手段と、
前記工具の計測結果に応じて前記工具の撮像位置を調整する工具撮像位置調整手段と、
を具備することを特徴とした工具マガジン装置。
【請求項２】
前記撮像手段は、カメラと、該カメラに対して対設された照明装置とを含み、
前記工具撮像位置調整手段は、計測対象である工具を前記カメラと照明装置との間に配置し、前記カメラによって計測対象である工具の陰影を撮像するようにした請求項１に記載の工具マガジン装置。
【請求項３】
前記工具撮像位置調整手段は、前記ラックと工具交換装置との間で工具を搬送する工具搬送装置である請求項１または２に記載の工具マガジン装置。
【請求項４】
計測対象工具の直径が前記工具撮像手段の撮像範囲を超える場合に、前記撮像位置調整手段は、前記計測対象工具を前記照明装置に接近する方向に移動させて新たな撮像位置に位置決めする請求項２または３に記載の工具マガジン装置。
【請求項５】
計測対象工具の長さが前記工具撮像手段の撮像範囲を超える場合に、前記撮像位置調整手段は、前記計測対象工具の先端が前記撮像範囲に入るように、前記計測対象工具をその中心軸線に沿って移動させて新たな撮像位置に位置決めする請求項２〜４の何れか１項に記載の工具マガジン装置。
【発明の詳細な説明】
【技術分野】
【０００１】
本発明は、撮像式の工具寸法計測手段を有した工具マガジンに関する。
【背景技術】
【０００２】
工具マガジンは、一般に、工作機械に隣接して配置され、多数の工具を収納している。工具交換装置によって工具マガジンに収納されている工具を工作機械へ供給し、また工作機械から工具マガジンへ工具を受取る。複雑な加工を１つのマシニングセンタで行うために、異なる工具径、工具長の工具を高効率で収納可能にした工具マガジンが開発されている。
【０００３】
特許文献１には、工具マガジンに装着された工具の像を撮影するための撮影装置と、工具の画像情報を処理するための画像処理部と、工具マガジンに装着される各工具についてのマスタデータを登録したマスタデータ登録部と、画像データとマスタデータとを照合するための照合認識部とを備え、加工に必要な工具についてマスタデータと撮影された工具の画像データとを照合認識部にて照合することにより撮影された工具を認識するようにした工具の自動照合認識装置が記載されている。
【０００４】
また、特許文献２には、入力手段から入力した保持部に装着される工具の径が少なくとも隣の保持部を空きにしないと保持部に工具を装着できない大きさである場合に、該隣の保持部には工具を装着すべきではない旨を報知するようにした工作機械が開示されている。
【先行技術文献】
【特許文献】
【０００５】
【特許文献１】特開平６−１３４６３８号公報
【特許文献２】特開平１１−４２５３３号公報
【発明の概要】
【発明が解決しようとする課題】
【０００６】
特許文献１の発明では、工具マガジン内の工具について、これから加工を行う際に使用のために工具マガジン内の保持部に収納されている工具から選択された工具を撮影して、それをマスタデータと照合して、使用工具がプログラムに記載された工具と確かに一致していることを確認するようにしているが、工具全体を撮像しているため装置が大型化する。また、工具の直径と長さを計測しようとする場合は、撮像範囲が広い分、高画素、高解像度の撮像装置が必要となり、コスト高となる。
【０００７】
特許文献２の発明では、収納しようとしている工具の情報をオペレーターが入力手段を通じて入力しており、実際に工具の寸法を測定しているのではないので、オペレーターの入力過誤によって、例えば直径の大きな工具や、長い工具を工具マガジン内で他の既に収納されている工具や、工具マガジン内のラックに衝触させてしまい、工具を収納できなくなるだけではなく、これから収納しようとしている工具や収納済工具を脱落または損傷させたり、或いは、工具マガジンを損傷させたりする問題が生じる。
【０００８】
本発明は、こうした従来技術の問題を解決することを技術課題としており、工具撮像手段の撮像範囲を超える外径または長さを有した工具を計測することを目的としている。
【課題を解決するための手段】
【０００９】
上述した本発明の目的を達成するために、本発明によれば、複数の工具収納部を有したラックを備え、内部に複数の工具を収納する工具マガジン装置において、工具を撮像する工具撮像手段と、前記工具撮像手段により得られた、計測対象の工具の画像に基づいて該工具の外形寸法を計測する計測手段と、前記工具の計測結果に応じて前記工具の撮像位置を調整する工具撮像位置調整手段とを具備する工具マガジン装置が提供される。
【発明の効果】
【００１０】
本発明によれば、工具位置調整手段によって工具の計測結果に応じて前記工具の撮像位置を調整するようにしたので、計測対象工具の外形寸法が大きく、計測対象工具を所定の撮像位置に位置決めしたときに撮像範囲を超えてしまっても、計測対象工具の撮像位置を調整することによって、大型の撮像装置を用いなくとも、大径または長尺の工具を撮像、計測可能となり、もって構成がコンパクトな工具マガジンを得ることができる。
【００１１】
また、本発明によれば、上記の計測結果を利用して、工具とラックとの干渉、或いは、工具マガジン内で隣り合わせに配置される工具間の干渉を確実に防止可能となる。
【図面の簡単な説明】
【００１２】
【図１】本発明の好ましい実施形態による工具マガジン装置の略示正面図である。
【図２】図１の工具マガジン装置のラックと工具搬送位置とを示す略示側面図である。
【図３】図１の工具マガジン装置のラックと工具搬送位置とを示す略示斜視図である。
【図４】図１の工具差替えステーションを示す略示正面図である。
【図５】図１の工具マガジン装置のラックと工具搬送位置と共に示す工具差替えステーションの略示側面図である。
【図６】工具差替えステーションへの工具の返却操作を示すフローチャートである。
【図７】工具差替えステーションにおける工具の撮像、計測プロセスを示すフローチャートである。
【図８Ａ】工具撮像位置への位置決めプロセスを示す工具差替えステーションの略示正面図である。
【図８Ｂ】工具撮像位置への位置決めプロセスを示す工具差替えステーションの略示側面図である。
【図９Ａ】図８Ａと同様の工具差替えステーションの略示正面図であり、工具撮像位置に位置決めされた工具の外径が撮像範囲を超えている状態を示す図である。
【図９Ｂ】図８Ａと同様の工具差替えステーションの略示正面図であり、工具の外径が撮像範囲を超えている場合に該工具を再位置決めする状態を示す図である。
【図１０Ａ】図８Ｂと同様の工具差替えステーションの略示側面図であり、工具撮像位置に位置決めされた工具の長さが撮像範囲を超えている様子を示す図である。
【図１０Ｂ】図８Ｂと同様の工具差替えステーションの略示側面図であり、工具の長さが撮像範囲を超えている場合に該工具を再位置決めする様子を示す図である。
【発明を実施するための形態】
【００１３】
以下、図１〜図４を参照して、本発明の好ましい実施形態による工具マガジンを説明する。
図１〜図４において、工具マガジン１０は工作機械（図示せず）に隣接、配置され、工具交換装置１００によって、加工に必要な工具を工作機械へ供給し、また、工作機械で使用した工具を受け取り収納する。なお、本明細書では、中心軸線に沿って延びる棒状のシャンクと、該シャンクの一端に結合されたカッター部と、前記シャンクに装着される工具ホルダを含めて工具Ｔと称している。工具ホルダは、工作機械の主軸先端部に形成された工具装着穴に嵌合されるテーパー部ＴＨと、工具交換装置１００に係合する周溝Ｖとを有している。
【００１４】
工具マガジン１０は、カバー１２内に収納された上ラック１４と、下ラック２０、カバー１２の１つの側面に隣接させて上下ラック１４、２０の間に配設された工具差替えステーション３０、上下ラック１４、２０と工具交換装置１００との間で工具を搬送する工具搬送装置５０を具備している。本実施形態では、上下ラック１４、２０は、カバー１２内で共通する鉛直平面内に配設された平板状の部材より成る。なお、本明細書では、上下ラック１４、２０が形成する鉛直平面をＸＹ平面とし、水平方向にＸ軸、鉛直方向にＹ軸、ＸＹ平面に対して垂直な水平方向にＺ軸を定義する。工具Ｔの中心軸線がＺ軸と平行となるように工具Ｔは上下ラック１４、２０に収納され、収納された工具Ｔの工具ホルダ側を工具マガジン１０の後方と定義する。
【００１５】
本実施形態において、上下ラック１４、２０は、工具ＴをＺ軸方向に通過させ該工具Ｔの周溝Ｖに係合して保持する複数の開口部より成る工具受容孔１６、２２が形成されている。工具受容孔１６、２２は、マトリックス状、図１の例では６行１０列のマトリックス状に配列されている。更に、上下ラック１４、２０の上縁部には、Ｚ軸方向に配向した工具Ｔの周溝Ｖに係合し該工具Ｔを保持する上方に開口した切欠きより成る工具受容凹部１８、２４が形成されている。工具受容孔１６、２２および工具受容凹部１８、２４の各々は、工具マガジン１０の工具収納部を形成している。
【００１６】
工具受容孔１６、２２には、そこを挿通可能な直径を有した比較的小径の工具Ｔが保持される。一方、工具受容凹部１８、２４を上方に開口した切欠きにより形成することによって、工具受容凹部１８、２４には、最上段の工具受容孔１６、２２に保持されている工具Ｔと干渉しない限度で比較的大径の工具Ｔが収納可能となる。工具受容凹部１８、２４は、該工具マガジン１０に収納される最大径の工具Ｔを保持可能とする間隔をおいてＸ軸方向に配置されている。或いは、隣の工具Ｔとの干渉を防止するため、１つおきに工具Ｔを工具受容凹部１８、２４に装着するようにしてもよい。また、上ラック１４とカバー１２の天板との間の空間、および、上ラック１４と下ラック２０との間の空間は、最大径の工具ＴをＺ軸方向に移動可能とするＹ軸方向の寸法を有していることは言うまでもない。
【００１７】
工具上下ラック１４、２０と工具交換装置１００との間で工具を搬送する工具搬送装置５０は、工具Ｔを係脱可能に把持するキャリッジ５２と、Ｘ軸方向に延設された上レール５４および下レール５６、及び上下レール５４、５６に沿ってＸ軸方向に往復動可能に設けられた移動支柱５８とを具備しており、キャリッジ５２は、該移動支柱５８に沿ってＹ軸方向に往復動可能に取付けられている。上下レール５４、５６内に、例えばボールねじ（図示せず）を延設させ、移動支柱５８の上下端部に該ボールねじと係合するナット（図示せず）を取付け、上下レール５４、５６の前記ボールねじを同期して回転させることによって、移動支柱５８を、上下レール５４、５６に沿ってＸ軸方向に往復動可能とすることができる。
【００１８】
キャリッジ５２は、Ｚ軸方向に延設された板状の部材より成りＹ軸方向に往復動可能に移動支柱５８に取付けられたベース部６０を具備している。該ベース部６０の上面には、Ｚ軸方向に延設されたボールねじ６２、及び該ボールねじ６２を回転駆動するモータ６４が取付けられており、ベース部６０の下面には、Ｚ軸方向に延設された第１の案内レール６６が固定されている。第１の案内レール６６には、該第１の案内レール６６に沿って往復動可能に第１のスライダ６８が取付けられており、該第１のスライダ６８にはボールねじ６２に係合するナット７０が取付けられている。また、第１のスライダ６８には第２の案内レール７２が固定されており、該第２の案内レール７２は該第１のスライダ６８と共にＺ軸方向に往復動可能となっている。第２の案内レール７２には、第１のスライダ６８の移動に伴い該第２の案内レール７２に沿って往復動可能に第２のスライダ７４が取付けられており、該第２のスライダ７４には腕７６が固定されている。腕７６の先端に、工具Ｔの工具ホルダに嵌合するテーパ穴を有し、工具Ｔを係脱可能に把持する工具把持手段７８が固定されている。本実施の形態では、工具搬送装置５０のＸ、Ｙ、Ｚ軸方向の移動及び工具把持の動作は、工作機械のＮＣ装置（図示せず）により制御される。
【００１９】
図４、５を参照すると、工具差替えステーション３０には、工具Ｔを載置するための支持台３２と、工具Ｔを撮像するためのカメラ３４、および、カメラ３４による撮像のために工具Ｔへ向けて投光する照明装置３６より成る撮像手段とが設けられている。またカバー１２の一側面にはドア１２ａが設けられており、オペレーターが工具差替えステーション３０内にアクセス可能となっている。
【００２０】
以下、本実施形態の作用を説明する。
先ず、図６を参照すると、オペレーターがドア１２ａを開閉して支持台３２上に工具Ｔを載置し、工具マガジン１０の操作盤（図示せず）から、該工具Ｔについて、工具マガジン１０内への返却操作を行う（ステップＳ１００）。これによって、工具マガジン１０の制御装置は、図７のステップＳ１０〜ステップＳ２４から成る工具Ｔの位置決め、撮像、計測操作を開始する（ステップＳ２００）。次いで、上下ラック１４、２０において、該工具Ｔを収納すべき工具受容孔１６、２２または工具受容凹部１８、２４に隣接する工具受容孔１６、２２または工具受容凹部１８、２４に既に保持されている或いは保持する予定である工具Ｔのデータと比較し、該工具Ｔと計測された工具Ｔとが干渉するか否かの干渉チェックが行われる（ステップＳ３００）。このように、計測対象たる工具（計測対象工具と称する）は、オペレーターによって新たに工具差替えステーション３０に配置された工具である。
【００２１】
ステップＳ３００における干渉チェックの結果、干渉しないと判定されると（ステップＳ４００でYesの場合）、該工具Ｔは工具マガジン１０の所定の工具受容孔１６、２２または工具受容凹部１８、２４に装着、保持される（ステップＳ５００）。ステップＳ３００における干渉チェックの結果、干渉すると判定されると（ステップＳ４００でNoの場合）、該工具Ｔの返却操作は中断され、工具Ｔが支持台３２に載置されると共に、オペレーターに対して干渉が生じる旨のアナウンスまたは警告がなされる（ステップＳ６００）。
【００２２】
次に、図７を参照して、図６のステップＳ２００における工具Ｔの位置決め、撮像、計測プロセスを説明する。撮像プロセスが開始されると（ステップＳ１０）、オペレーターによって支持台３２上に載置された計測対象工具Ｔは、図５に示すように、その工具ホルダのテーパー部ＴＨにおいて工具撮像位置調整手段としての工具搬送装置５０の工具把持手段７８によって把持され、次いで、該工具搬送装置５０によって撮像位置へ位置決めされる（ステップＳ１２）。このように、撮像位置は、図８Ａ、８Ｂに示すように、支持台３２からＹ軸方向に上動させた位置である。
【００２３】
次に、撮像位置に位置決めされた計測対象工具Ｔへ向けて照明装置３６から投光され、カメラ３４は、照明装置３６からの光によって生じる計測対象工具Ｔの陰影（シルエット）を撮像する（ステップＳ１４）。工具マガジン１０の制御装置は、カメラ３４からの撮像データに対して例えば二値化するなどの処理を行い、計測対象工具Ｔの外形、特にその長さおよび直径を計測する。このように、陰影によって工具Ｔを撮像することによって、カメラ３４として高価なカメラや複雑な画像処理を行わなくとも、計測対象工具Ｔの輪郭を明瞭に撮像可能となる。
【００２４】
計測結果から、計測対象工具Ｔの直径方向の最外縁部分の輪郭が撮像範囲を超えているか否かが判定される（ステップＳ１６）。計測対象工具Ｔの直径方向の最外縁部分の輪郭が撮像範囲を超えているか否かの判定は、例えば、二値化した撮像データにおいて、Ｚ軸に対して垂直な方向に各画素の値を順次チェックしたときに、全ての画素の値が０または１である場合に、該計測対象工具Ｔの直径方向の最外縁部分の輪郭が撮像範囲を超えていると判定することができる。ステップＳ１６における判定の結果、計測対象工具Ｔが大径工具であって、その寸法が、図９Ａに示すように、直径方向に撮像範囲を超えていると判定される場合（ステップＳ１６でYesの場合）、該計測対象工具Ｔは工具搬送装置５０によって、該計測対象工具Ｔが計測可能な撮像位置に再位置決めされる（ステップＳ１８）。この再位置決は、二値化した撮像データにおいてＺ軸に垂直な方向に０と１を含む画素が発現するまで、つまり計測対象工具Ｔの最外縁が現れるまで、図９Ｂに示すように、工具搬送装置５０をＹ軸方向に下動させる、つまり計測対象工具Ｔを照明装置３６へ接近させることによって行うことができる（ステップＳ１４〜ステップＳ１８）。計測対象工具Ｔの外形が撮像データ上に出現したときの工具搬送装置５０のＹ軸の座標値と、計測対象工具Ｔを撮像した画像の二値化データにおいてＺ軸に垂直な方向に見たときに画素の値が０から１へ変化する画素の位置とから、工具Ｔの直径を演算で求めることができる。この演算は、工具マガジン１０の制御装置内で行うことができる。或いは、外形寸法が正確に予め分かっているキャリブレーション工具を用いて、予め撮像、計測を行って、計測結果を工具搬送装置５０の座標値と共に工具マガジン１０の制御装置内に格納しておいてもよい。工具搬送装置５０の座標値と画素の位置とから計測対象工具Ｔの直径を演算するため、工具Ｔの直径方向の全体像を撮像範囲に入れる必要はなく、計測対象工具Ｔの直径方向片側の最外縁部分の輪郭が撮像範囲に入ればよい。
【００２５】
ステップＳ１６で計測対象工具Ｔの直径方向の最外縁部分の輪郭が撮像範囲を超えていないと判定されると（ステップＳ１６でNoの場合）、ステップＳ２０において、計測対象工具Ｔの長さ方向の先端の輪郭が撮像範囲を超えているか否かが判定される。計測対象工具Ｔの長さ方向の先端の輪郭が撮像範囲を超えているか否かの判定は、計測対象工具Ｔの直径方向の最外縁部分の輪郭が撮像範囲を超えているか否かの判定の場合と同様に、例えば、二値化した撮像データにおいてＺ軸方向に各画素の値を順次チェックしたときに、全ての画素の値が０または１である場合に、該計測対象工具Ｔの長さ方向の先端の輪郭が撮像範囲を超えていると判定することができる。計測対象工具Ｔの長さ方向の先端の輪郭が、図１０Ａに示すように、撮像範囲を超えていると判定される場合（ステップＳ２０でYesの場合）、該計測対象工具Ｔは工具搬送装置５０によって、該計測対象工具Ｔが計測可能な撮像位置に再位置決めされる（ステップＳ２２）。この再位置決めは、二値化した撮像データにおいてＺ軸方向に０と１を含む画素が出現するまで、つまり、計測対象工具Ｔの先端がカメラ３４の視野内に入るまで、図１０Ｂに示すように、工具搬送装置５０をＺ軸方向に後退させることによって行うことができる（ステップＳ１４〜ステップＳ２２）。計測対象工具Ｔの先端が撮像データ上に出現したときの工具搬送装置５０のＺ軸の座標値から計測対象工具Ｔの長さを求めることができる。この演算は、工具マガジン１０の制御装置内で行うことができる。直径の場合と同様に、工具搬送装置５０の座標値と画素の位置とから計測対象工具Ｔの長さを演算するため、工具Ｔの長さ方向の全体像を撮像範囲に入れる必要はなく、計測対象工具Ｔの長さ方向の先端の輪郭が撮像範囲に入ればよい。
【００２６】
既述したように、工具位置調整手段としての工具搬送装置５０によって、計測対象工具Ｔをカメラ３４と照明装置３６との間に位置決めし、計測対象工具Ｔの外形を撮像することによって、計測対象工具Ｔの寸法を計測することができる。こうした工具の計測は、工具差替えステーション３０において行われ、計測対象工具Ｔの外形寸法の計測結果に基づいて、加工プログラムで指定された工具収納部、つまり工具受容孔１６、２２または工具受容凹部１８、２４に当該工具が収納可能であるか否かが判定される。従って、特許文献１、２のようにオペレーターが間違った工具を収納してしまう事態を未然に防ぐことができる。
【００２７】
また、計測対象工具Ｔの外形寸法が大きく、計測対象工具Ｔを所定の撮像位置に位置決めしたときに撮像範囲を超えてしまっても、上述したように計測対象工具Ｔを再位置決めすることによって、大型の撮像装置を用いなくとも、大径または長尺の工具を撮像、計測可能となる。
【００２８】
こうして、工具マガジン１０内に収納されている全ての工具は、その直径と長さが計測されデータが工具マガジン１０の制御装置に格納されているので、例えば、工具マガジン１０内のある工具が加工に使用されるとき、工作機械上で当該工具の長さ等を精密に計測する際に、該工具と精密測定測装置とを干渉させないようにして、該工具を精密測定装置へ向けて早送りで接近させることが可能となり、工具の精密測定、特に長さの測定時間を短縮可能となる。
【００２９】
計測された外形寸法を、例えば工作機械に設けられている工具とワークとの衝突防止装置に送出することによって、衝突防止装置のモデル生成に用いることができる。更に、計測された工具の外形を工具管理装置の工具データと共に画面表示することによって、オペレーターは容易に工具の管理作業を行うことが可能となる。
【符号の説明】
【００３０】
１０    工具マガジン
１４    上ラック
１６    工具受容孔
１８    工具受容凹部
２０    下ラック
２２    工具受容孔
２４    工具受容凹部
３０    工具差替えステーション
３２    支持台
３４    カメラ
３６    照明装置
５０    工具搬送装置
７８    工具把持手段
１００    工具交換装置
【図１】
2015104782.tif 000003
【図２】
2015104782.tif 000004
【図３】
2015104782.tif 000005
【図４】
2015104782.tif 000006
【図５】
2015104782.tif 000007
【図６】
2015104782.tif 000008
【図７】
2015104782.tif 000009
【図８Ａ】
2015104782.tif 000010
【図８Ｂ】
2015104782.tif 000011
【図９Ａ】
2015104782.tif 000012
【図９Ｂ】
2015104782.tif 000013
【図１０Ａ】
2015104782.tif 000014
【図１０Ｂ】
2015104782.tif 000015
【手続補正書】
【提出日】平成26年11月20日(2014.11.20)
【手続補正１】
【補正対象書類名】明細書
【補正対象項目名】０００９
【補正方法】変更
【補正の内容】
【０００９】
上述した本発明の目的を達成するために、本発明によれば、複数の工具収納部を有したラックを備え、内部に複数の工具を収納する工具マガジン装置において、工具を撮像する工具撮像手段と、前記工具撮像手段により得られた、計測対象の工具の画像と外形寸法が既知のキャリブレーション工具を予め撮像した画像とに基づいて該工具の外形寸法を計測する計測手段と、前記工具の外形寸法が前記工具撮像手段の撮像範囲を超える場合に、前記工具の撮像位置を調整する工具撮像位置調整手段とを具備する工具マガジン装置が提供される。
【手続補正２】
【補正対象書類名】特許請求の範囲
【補正対象項目名】全文
【補正方法】変更
【補正の内容】
【特許請求の範囲】
【請求項１】
複数の工具収納部を有したラックを備え、内部に複数の工具を収納する工具マガジン装置において、
工具を撮像する工具撮像手段と、
前記工具撮像手段により得られた、計測対象の工具の画像と外形寸法が既知のキャリブレーション工具を予め撮像した画像とに基づいて該工具の外形寸法を計測する計測手段と、
前記工具の外形寸法が前記工具撮像手段の撮像範囲を超える場合に、前記工具の撮像位置を調整する工具撮像位置調整手段と、
を具備することを特徴とした工具マガジン装置。
【請求項２】
前記撮像手段は、カメラと、該カメラに対して対設された照明装置とを含み、
前記工具撮像位置調整手段は、計測対象である工具を前記カメラと照明装置との間に配置し、計測対象である工具の前記照明装置からの光によって生じる陰影を前記カメラで撮像するようにした請求項１に記載の工具マガジン装置。
【請求項３】
前記工具撮像位置調整手段は、前記ラックと工具交換装置との間で工具を搬送する工具搬送装置である請求項１または２に記載の工具マガジン装置。
【請求項４】
計測対象工具の直径が前記工具撮像手段の撮像範囲を超える場合に、前記撮像位置調整手段は、前記計測対象工具の外形が前記撮像範囲に入るように、前記計測対象工具をその径方向に移動させて新たな撮像位置に位置決めする請求項２または３に記載の工具マガジン装置。
【請求項５】
計測対象工具の長さが前記工具撮像手段の撮像範囲を超える場合に、前記撮像位置調整手段は、前記計測対象工具の先端が前記撮像範囲に入るように、前記計測対象工具をその中心軸線に沿って移動させて新たな撮像位置に位置決めする請求項２〜４の何れか１項に記載の工具マガジン装置。